(57)【要約】【課題】従来のコウモリ傘は、目の安全、突き目、に対して露先に色々なアクセサリーや大小の形状の物等、取り付け又はぶらさげたりするが、コウモリ傘を開いている時は露先は目立って良いが、閉じた時は露先が邪魔でならない。【解決手段】コウモリ傘の開閉により露先が移動するから、使用時は露先が目に安全な位置で止り、コウモリ傘を閉じた時に露先が邪魔に成らない位置に移動して、傘骨の露先支持骨を玉受け金具に収める事ができて、締め付バンドを使用する事ができた、目にやさしいコウモリ傘を提供できる。【選択図】図２
2011024757.tif 000002
【特許請求の範囲】
【請求項１】
中棒の先端に軸支された親骨と、一端が、前記中棒に摺動自在に支持されて他端が、前記親骨に軸支された支持骨を備える傘において、前記親骨の先端に軸支された露先支持骨と、前記露先支持骨の一端に固定された球状の露先を有し、前記露先支持骨の他端と、前記支持骨を連結する駆動ロットを備えることを特徴とする、コウモリ傘。
【発明の詳細な説明】
【技術分野】
【０００１】
本発明は、コウモリ傘の露先に万が一に目に当った時に目を保護する露先を取り付けて、コウモリ傘の開閉時に露先が移動して、目の安全を保った物である。
【背景技術】
【０００２】
従来のコウモリ傘は露先に光る反射テープや、蛍光材を塗った物を取り付けたり、又は電気によって露先を点滅させたり、アクセサリー等を露先から下げる等していた、（例えば実用新案文献３参照）。
【０００３】
コウモリ傘の露先に大きな光る物や、又は露先に色々な形状の物を、取り付け替える物等がある、（例えば実用新案文献４参照）。
【先行技術文献】
【特許文献】
【０００４】
【特許文献１】特開２００６−２５５２１９号
【特許文献２】特開２０００−２１０１１２号
【特許文献３】実用新案第３００３５４６号
【特許文献４】実用新案公開平６−５２５２８号
【発明の概要】
【発明が解決しようとする課題】
【０００５】
以上に述べた、従来のコウモリ傘は怪我等の安全の点で、特くに露先の突き目に対して、安全対策で万が一の事を考えた時の対策がまだ必要と思われる。
【０００６】
コウモリ傘の使用後、閉じる時に露先に、大小、の物や、アクセサリー、また装飾のさがり物等があった時に、露先がまとめにくいと言う欠点があった。
【課題を解決するための手段】
【０００７】
本発明は、上記目的を達成する為に露先に突き目防止の蛍光材を塗った、丸い中が空洞の少し弾力が有るシリコーン樹脂等で、コウモリ傘を開く時は露先が移動して目を守る位置に止まり、また傘を閉じる時は露先が移動して玉受け金具に露先支持骨が収まり、締め付けバンドで細くきれいにしたコウモリ傘。
【０００８】
また第２の課題解決手段は、コウモリ傘を開く時に、親骨と支持骨との動きで露先支持骨が引かれて、突き目防止の露先が親骨の先の方へと移動して、露先が突き目防止と成って目の保護をした物である。
【発明の効果】
【０００９】
上述したように、本発明のコウモリ傘は、露先の取り替等をするわずらわしさを解消するし、また年齢に関係なく簡単に、だれにでも使用する事ができる、目にやさしいコウモリ傘を提供できる。
【００１０】
またコウモリ傘の開閉で露先が移動するので、いろんな形ちや色のアクセサリーを蛍光塗料や発光体で夜でも目立つようにして、目にやさしく安全な物を露先に取り付ける事が可能であり、また日傘にも使用する事ができる。
【００１１】
コウモリ傘を閉じた時に、露先が親骨の横の方に移動しているので、露先支持骨が玉受け金具の中に収まり、傘を細くまとめる事ができる使いやすいコウモリ傘である。
【図面の簡単な説明】
【００１２】
【図１】本発明に係るコウモリ傘を開いた状態を現す説明図
【図２】本発明に係るコウモリ傘を閉じた状態を現す説明図
【図３】本発明のコウモリ傘を開いた状態の傘の骨組を現す説明図
【図４】本発明のコウモリ傘を閉じた状態の傘の詳細を現す説明図
【図５】本発明のコウモリ傘を閉じた全体の骨組を現した図
【図６】本発明のコウモリ傘を閉じた傘骨の露先の詳細を現した拡大図
【図７】本発明のコウモリ傘を開いた傘骨の露先の詳細を現した拡大図
【図８】本発明のコウモリ傘を開いた親骨と露先の説明を現した図
【図９】本発明のコウモリ傘の親骨と駆動安定リングを現した図
【図１０】本発明のコウモリ傘の親骨と図９における、Ａ−Ａ線断面図
【発明を実施するための形態】
【００１３】
本発明の、実施形態のコウモリ傘について、図１−図１０、について説明する。
【実施例１】
【００１４】
図１は、本発明のコウモリ傘の開いた状態での露先の位置と全体を現す。
【００１５】
図２は、本発明のコウモリ傘の閉じた状態で、露先が親骨の横の方へと移動して、玉受け金具に露先支持骨が収まり、締め付けバンドで傘を細くした状態の全体を現す。
【００１６】
図３は、本発明のコウモリ傘を開いた骨組で、親骨１０、支持骨１１、子骨１２、駆動ロット１５、駆動安定リング１４、露先の関連を現す。
【００１７】
図４は、本発明のコウモリ傘の閉じた状態を現すが、親骨１０が閉じる途中支持骨１１も閉じその動きにより、子骨１２が接続している駆動ロッド１５を押し、露先支持骨１７の動きにより、露先１８が親骨１０の横へと移動する。
【００１８】
図５は、本発明のコウモリ傘の閉じた状態で、各骨の全体を現し、また露先１８の収まりを現す。
【００１９】
図６は、親骨１０や露先１８等の拡大図で、本発明のコウモリ傘を閉じた状態で、駆動ロット１５に押されて、活動端部２２と露先支持骨１７の支点、ａ´〜ｂ´、により露先１８が、親骨の横へと移動を現す。
【００２０】
図７は、親骨１０や露先１８等の拡大図で、本発明のコウモリ傘を開いた状態で、駆動ロット１５に引かれて、活動端部２２と露先支持骨１７の支点、ａ´〜ｂ´、により露先１８が、親骨の先の方へと移動を現す。
【００２１】
図８は、本発明のコウモリ傘を開いた骨組で、親骨１０支持骨１１接続金具１３との子骨１２による、開閉時の駆動ロット１５の動きを補正する駆動安定リング１４で、傘布１と傘布取り付け穴２を現す、また支点ａ〜ｂの間の長さを支点ａ´〜ｂ´間の長さより、０．１倍長くする事により、傘を開閉した時に露先１８の遊びが無くなって良い。
【００２２】
図９は、本発明のコウモリ傘の親骨１０と子骨１２で、駆動ロット１５と駆動安定リング１４を現し、駆動安定リングの、Ａ−Ａの線断面位置を現す、またこの位置に駆動安定リング１４を置くのは、コウモリ傘を開いた時に駆動ロット１５を引く時駆動ロットが下がり、人の頭に当るのを防ぐ為に、親骨１０に取り付けた、またコウモリ傘を閉じる時は、駆動ロット１５が押されて、駆動ロットが親骨の方行以外に曲り、露先支持骨１７を押す力が弱まるのを防止する為に取り付けた。
【００２３】
図１０は、駆動安定リング１４で、Ａ−Ａの線断面図で、開閉時の駆動ロット１５の位置を現す、Ａ１の図は、コウモリ傘を閉じる時の駆動ロット１５の位置を現し、Ａ２の図は、コウモリ傘を開いた時の駆動ロット１５の位置を現す。
【産業上の利用可能性】
【００２４】
コウモリ傘を使用する者同士、双方はもちろん安全で日傘にも可能で有り、児童の登校時のコウモリ傘として最適である。
【符号の説明】
【００２５】
１、  傘布                  ２、  傘布取り付け穴        ３、  石突き
４、  玉受け金具            ５、  柄                    ６、  中棒
７、  押しボタン            ８、  下ろくろ              ９、  上ろくろ
１０、親骨                  １１、支持骨                １２、子骨
１３、接続金具              １４、駆動安定リング        １５、駆動ロット
１６、露先取り付金具        １７、露先支持骨            １８、露先
１９、下部ストッパ          ２０、上部ストッパ          ２１、締め付けバンド
２２、活動端部
【図１】
2011024757.tif 000003
【図２】
2011024757.tif 000004
【図３】
2011024757.tif 000005
【図４】
2011024757.tif 000006
【図５】
2011024757.tif 000007
【図６】
2011024757.tif 000008
【図７】
2011024757.tif 000009
【図８】
2011024757.tif 000010
【図９】
2011024757.tif 000011
【図１０】
2011024757.tif 000012